(57)【要約】【課題】照明装置における輝度ムラを抑制する技術の提供。【解決手段】本発明の照明装置１２は、光源２４と、光源２４が実装される実装面２５ａ１と、実装面２５ａ１上に形成されると共に光源４からの光を反射する反射層３０とを有する光源基板２５と、光源４と対向した状態で実装面２５ａ１上に設けられると共に、光源４からの光を透過させる光学レンズ２７と、光学レンズ２７と対向する部分の実装面２５ａ１上に少なくとも形成されると共に、光源４からの光を吸収する吸収層３１とを備える。【選択図】図７
2013143219.tif 000002
【特許請求の範囲】
【請求項１】
光源と、
前記光源が実装される実装面と、前記実装面上に形成されると共に前記光源からの光を反射する反射層とを有する光源基板と、
前記光源と対向した状態で前記実装面上に設けられると共に、前記光源からの光を透過させる光学レンズと、
前記光学レンズと対向する部分の前記実装面上に少なくとも形成されると共に、前記光源からの光を吸収する吸収層と、を備える照明装置。
【請求項２】
前記反射層は、前記光源を取り囲むように少なくとも前記光源付近の前記実装面上に形成され、
前記光学レンズは、前記光源及び前記光源付近の前記反射層とそれぞれ対向した状態で前記実装面上に設けられ、
前記吸収層は、前記光学レンズと対向する前記反射層上に少なくとも積層される形で形成される請求項１に記載の照明装置。
【請求項３】
前記吸収層は、前記光源を取り囲むように前記実装面上に配されている請求項１又は請求項２に記載の照明装置。
【請求項４】
前記吸収層は、複数のパターン部からなる請求項１から請求項３のいずれか一項に記載の照明装置。
【請求項５】
前記パターン部は、それぞれドット状をなすと共に、それらの表面積が、前記光源から遠ざかる方向に向かって、順次小さくなる請求項４に記載の照明装置。
【請求項６】
前記パターン部は、それぞれドット状をなすと共に、前記光源を中心とする円周方向において隣り合ったもの同士の間隔が、前記光源から遠ざかる方向に向かって、順次、大きくなる請求項４又は請求項５に記載の照明装置。
【請求項７】
前記パターン部は、それぞれ前記光源を中心とした環状をなすと共に、それらの表面積が、前記光源から遠ざかる方向に向かって、順次小さくなる請求項４に記載の照明装置。
【請求項８】
前記パターン部は、前記光源からそれぞれ放射状に延びた形をなす請求項４から請求項７のいずれか一項に記載の照明装置。
【請求項９】
前記光源からの光を反射するシート状の反射部と、この反射部を貫通する孔からなり、前記光源と共に前記光学レンズを露出させる開口部とを有する反射部材を備える請求項１から請求８のいずれか一項に記載の照明装置。
【請求項１０】
前記光学レンズは、前記光源からの光を拡散させつつ出射する拡散レンズからなる請求項１から請求項９のいずれか一項に記載の照明装置。
【請求項１１】
前記吸収層は、黒色を呈する請求項１から請求項１０のいずれか一項に記載の照明装置。
【請求項１２】
前記吸収層は、前記光源から遠ざかる方向に向かって、順次、光吸収率が小さくなる請求項１から請求項１１のいずれか一項に記載の照明装置。
【請求項１３】
前記吸収層は、前記実装面を平面に視た際、前記光学レンズと対向する範囲よりも広範囲に亘って形成されている請求項１から請求項１２のいずれか一項に記載の照明装置。
【請求項１４】
請求項１から請求項１３のいずれか一項記載の照明装置と、前記照明装置からの光を利用して表示を行う表示パネルとを備える表示装置。
【請求項１５】
請求項１４に記載された表示装置を備えるテレビ受信装置。
【発明の詳細な説明】
【技術分野】
【０００１】
本発明は、照明装置、表示装置及びテレビ受信装置に関する。
【背景技術】
【０００２】
テレビ、携帯電話、携帯情報端末等の表示装置において、液晶パネルが利用されている。液晶パネルは、画像を表示させるために、外部の光を利用する必要がある。そのため、この種の表示装置は、特許文献１に示されるように、液晶パネルの他に、液晶パネルに光を供給するための照明装置（所謂、バックライト装置）を備えている。この照明装置は、液晶パネルの背面側に配されており、面状に広がった光を液晶パネルの背面に向けて照射するように構成されている。
【０００３】
前記照明装置としては、特許文献１に示されるように、光源が液晶パネルの背面側に配されているもの（所謂、直下型方式）が知られている。この種の照明装置は、主として、前記光源と、この光源を収容すると共に液晶パネルの背面側に向かって開口した箱状のシャーシと、前記開口を覆うように配され前記光源からの光を透過しつつ調節する光学部材と、前記シャーシの内側を覆うように配される反射シートとを備えている。なお、前記光源としては、特許文献１に示されるように、近年、ＬＥＤ（Ｌｉｇｈｔ  Ｅｍｉｔｔｉｎｇ  Ｄｉｏｄｅ）が利用されている。ＬＥＤは、ＬＥＤ基板上に実装された状態で、シャーシ内に収容されている。
【０００４】
ＬＥＤ基板上には、特許文献１に示されるように、ＬＥＤを覆うように光学レンズ（拡散レンズ）が設けられている。ＬＥＤは、指向性が強い（高い）ため、ＬＥＤから発せられる光は、直進性が高くなっている。そのため、ＬＥＤから発せられる光は、光学レンズを透過させることによって拡散させた状態で、液晶パネル側に供給されている。なお、ＬＥＤから発せられた光の中には、光学レンズ等によって反射されてＬＥＤ基板側へ戻ってくるものもある。また、このような光の中には、ＬＥＤ基板上で反射されて再び光学レンズ側に進んで光学レンズから出射されるものもある。
【先行技術文献】
【特許文献】
【０００５】
【特許文献１】特開２０１１−９０９７７号公報
【発明の概要】
【発明が解決しようとする課題】
【０００６】
光学レンズの機能だけでは、ＬＥＤから発せられる光を十分に拡散させることができない場合があり、問題となっていた。このような場合、照明装置から発せられる光において、ＬＥＤの配置個所に対応した部分がそれ以外の部分よりも明るくなり過ぎてしまうという輝度ムラが発生してしまい、問題となっている。
【０００７】
本発明の目的は、照明装置における輝度ムラを抑制する技術を提供することである。
【課題を解決するための手段】
【０００８】
本発明に係る照明装置は、光源と、前記光源が実装される実装面と、前記実装面上に形成されると共に前記光源からの光を反射する反射層とを有する光源基板と、前記光源と対向した状態で前記実装面上に設けられると共に、前記光源からの光を透過させる光学レンズと、前記光学レンズと対向する部分の前記実装面上に少なくとも形成されると共に、前記光源からの光を吸収する吸収層と、を備える。前記照明装置は、前記光学レンズと対向する部分の前記光学基板における前記実装面上に、前記光源からの光を吸収する前記吸収層が少なくとも形成されている。前記光源から発せられた光が前記光学レンズ等によって反射されて前記吸収層に向かうと、前記吸収層が光を吸収する。その結果、前記吸収層に照射された光が、前記光学レンズに入射することが抑制される。したがって、前記光学レンズから出射される光が過剰となることが抑制され、前記照明装置の輝度ムラの発生が抑制される。
【０００９】
前記照明装置において、前記反射層は、前記光源を取り囲むように少なくとも前記光源付近の前記実装面上に形成され、前記光学レンズは、前記光源及び前記光源付近の前記反射層とそれぞれ対向した状態で前記実装面上に設けられ、前記吸収層は、前記光学レンズと対向する前記反射層上に少なくとも積層される形で形成されてもよい。前記照明装置において、前記反射層は、前記光源を取り囲むように少なくとも前記光源付近の前記実装面上に形成され、前記光学レンズは、前記光源及び前記光源付近の前記反射層とそれぞれ対向した状態で前記実装面上に設けられ、前記吸収層は、前記光学レンズと対向する前記反射層上に少なくとも積層される形で形成されている。このように、前記吸収層を、前記反射層上に少なくとも積層される形で構成すると、前記吸収層を所定個所に設け易く、前記照明装置を製造し易くなる。
【００１０】
前記照明装置において、前記吸収層は、前記光源を取り囲むように前記実装面上に配されていてもよい。前記照明装置において、前記吸収層が、前記光源を取り囲むように前記実装面上に配されていると、前記光源からの光が前記吸収層によって吸収される量が、前記光源を中心とする円周方向において不均一となることが抑制される。
【００１１】
前記照明装置において、前記吸収層は、複数のパターン部からなるものであってもよい。前記吸収層が、複数のパターン部からなると、前記パターン部を適宜、設定することによって、前記吸収層における光吸収量を調節することができる。
【００１２】
前記照明装置において、前記パターン部は、ドット状をなすと共に、その表面積が、前記光源から遠ざかる方向に向かって、順次小さくなるものであってもよい。前記パターン部が、ドット状をなすと共に、その表面積が、前記光源から遠ざかる方向に向かって、順次小さくなると、前記吸収層によって吸収される光の量が、前記光源から遠ざかる方向に向かって少なくなる。つまり、前記光源に近付く程、前記吸収層によって光が多く吸収されることになる。したがって、前記光学レンズの中央部分から出射される光が過剰となることが抑制される。
【００１３】
前記照明装置において、前記パターン部は、ドット状をなすと共に、前記光源を中心とする円周方向において隣り合った間隔が、前記光源から遠ざかる方向に向かって、順次、大きくなるものであってもよい。前記パターン部が、ドット状をなすと共に、前記光源を中心とする円周方向において隣り合った間隔が、前記光源から遠ざかる方向に向かって、順次、大きくなると、前記吸収層によって吸収される光の量が、前記光源から遠ざかる方向に向かって少なくなる。つまり、前記光源に近付く程、前記吸収層によって光が多く吸収されることになる。したがって、前記光学レンズの中央部分から出射される光が過剰となることが抑制される。
【００１４】
前記照明装置において、前記パターン部は、前記光源を中心とした環状をなすと共に、その表面積が、前記光源から遠ざかる方向に向かって、順次小さくなるものであってもよい。前記パターン部が、前記光源を中心とした環状をなすと共に、その表面積が、前記光源から遠ざかる方向に向かって、順次小さくなると、前記吸収層によって吸収される光の量が、前記光源から遠ざかる方向に向かって少なくなる。つまり、前記光源に近付く程、前記吸収層によって光が多く吸収されることになる。したがって、前記光学レンズの中央部分から出射される光が過剰となることが抑制される。
【００１５】
前記照明装置において、前記パターン部は、前記光源からそれぞれ放射状に延びた形をなすものであってもよい。前記パターン部が、前記光源からそれぞれ放射状に延びた形をなすものであると、前記実装面上における前記吸収層の占める割合が、前記光源から遠ざかる方向に向かって、順次小さくなる。つまり、前記光源から遠ざかる方向に向かって、前記吸収層によって吸収される光の量が、少なくなる（換言すれば、前記光源に近付く程、前記吸収層によって光が多く吸収されることになる）。したがって、前記光学レンズの中央部分から出射される光が過剰となることが抑制される。
【００１６】
前記照明装置において、前記光源からの光を反射するシート状の反射部と、この反射部を貫通する孔からなり、前記光源と共に前記光学レンズを露出させる開口部とを有する反射部材を備えるものであってもよい。
【００１７】
前記照明装置において、前記光学レンズは、前記光源からの光を拡散させつつ出射する拡散レンズからなるものであってもよい。
【００１８】
前記照明装置において、前記吸収層は、黒色を呈するものであってもよい。
【００１９】
前記照明装置において、前記吸収層は、前記光源から遠ざかる方向に向かって、順次、光吸収率が小さくなるものであってもよい。前記吸収層が、前記光源から遠ざかる方向に向かって、順次、光吸収率が小さくなると、前記光源に近付く程、前記吸収層によって光が多く吸収されることになる。したがって、前記光学レンズの中央部分から出射される光が過剰となることが抑制される。
【００２０】
前記照明装置において、前記吸収層は、前記実装面を平面に視た際、前記光学レンズと対向する範囲よりも広範囲に亘って形成されていてもよい。
【００２１】
本発明に係る表示装置は、前記照明装置と、前記照明装置からの光を利用して表示を行う表示パネルとを備える。
【００２２】
本発明に係るテレビ受信装置は、前記表示装置を備える。
【発明の効果】
【００２３】
本発明によれば、照明装置における輝度ムラを抑制する技術を提供できる。
【図面の簡単な説明】
【００２４】
【図１】本発明の実施形態１に係るテレビ受信装置の概略構成を示す分解斜視図
【図２】液晶表示装置の概略構成を示す分解斜視図
【図３】照明装置を構成するシャーシにおける拡散レンズ、ＬＥＤ基板、保持部材及び反射シート等の配置構成を示す平面図
【図４】液晶表示装置の短辺方向（図３のvii−vii線）に沿った断面構成を示す断面図
【図５】液晶表示装置の長辺方向（図３のviii−viii線）に沿った断面構成を示す断面図
【図６】照明装置を構成するＬＥＤ基板におけるＬＥＤ付近の拡大平面図
【図７】図５におけるＬＥＤ及び拡散レンズ付近の拡大断面図
【図８】図６のxi−xi線断面図
【図９】実施形態２に係る照明装置を構成するＬＥＤ基板におけるＬＥＤ付近の拡大平面図
【図１０】実施形態３に係る照明装置を構成するＬＥＤ基板におけるＬＥＤ付近の拡大平面図
【図１１】実施形態４に係る照明装置を構成するＬＥＤ基板におけるＬＥＤ付近の拡大平面図
【図１２】実施形態５に係る液晶表示装置を構成するＬＥＤ及び拡散レンズ付近の拡大断面図
【図１３】実施形態６に係る液晶表示装置を構成するＬＥＤ及び拡散レンズ付近の拡大断面図
【図１４】実施形態７に係る照明装置を構成するＬＥＤ基板におけるＬＥＤ付近の拡大平面図
【図１５】実施形態８に係る照明装置を構成するＬＥＤ基板におけるＬＥＤ付近の拡大平面図
【発明を実施するための形態】
【００２５】
＜実施形態１＞
本発明の実施形態１を、図１から図８を参照しつつ説明する。本実施形態では、照明装置１２、液晶表示装置１０及びテレビ受信装置ＴＶについて例示する。なお、各図面の一部には、Ｘ軸、Ｙ軸及びＺ軸が示されており、各軸方向が各図面において共通の方向となるように描かれている。また、図７及び図８に示される上側を表側とし、同図下側を裏側として、照明装置１２等について説明する。
【００２６】
（テレビ受信装置）
本実施形態に係るテレビ受信装置ＴＶは、図１に示されるように、表示装置である液晶表示装置１０と、この液晶表示装置１０を挟むようにして収容する表裏両キャビネットＣａ，Ｃｂと、電力供給のための電源回路基板Ｐと、テレビ画像信号を受信可能なチューナー（受信部）Ｔと、チューナーＴから出力されたテレビ画像信号を液晶表示装置１０用の画像信号に変換する画像変換回路基板ＶＣと、スタンドＳとを備えている。液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれほぼ一致させた状態で収容されている。この液晶表示装置１０は、図２に示されるように、表示パネルである液晶パネル１１と、外部光源である照明装置（バックライト装置）１２とを備え、これらが枠状のベゼル１３等により一体的に保持されるようになっている。
【００２７】
（液晶パネル）
液晶表示装置１０における液晶パネル１１の構成について説明する。液晶パネル１１は、全体として横長（長手）の矩形状をなしており、図３に示されるように、一対の透明な（透光性を有する）ガラス製の基板と、両基板間に介在すると共に電界印加に伴って光学特性が変化する物質である液晶を含む液晶層とを備えている。両基板は、液晶層の厚さ分のギャップを維持した状態でシール剤によって貼り合わせられている。また、両基板の外面側には、それぞれ偏光板が貼り付けられている。なお、液晶パネル１１における長辺方向がＸ軸方向と一致し、短辺方向がＹ軸方向と一致している。
【００２８】
両基板のうち表側（正面側）がカラーフィルタ（以下、ＣＦ）基板であり、裏側（背面側）がアレイ基板である。アレイ基板の内面（つまり、液晶層側の面）には、スイッチング素子であるＴＦＴ（Ｔｈｉｎ  Ｆｉｌｍ  Ｔｒａｎｓｉｓｔｏｒ）及び画素電極がマトリクス状（行列状）に多数個並列して設けられるとともに、これらＴＦＴ及び画素電極の周りには、格子状をなすゲート配線及びソース配線が取り囲むようにして配設されている。画素電極は、長辺方向をＹ軸方向に、短辺方向をＸ軸方向にそれぞれ一致させた縦長（長手）の方形状（矩形状）をなしており、ＩＴＯ（Ｉｎｄｉｕｍ  Ｔｉｎ  Ｏｘｉｄｅ）、ＺｎＯ（Ｚｉｎｃ  Ｏｘｉｄｅ）等からなる。ゲート配線とソース配線とがそれぞれＴＦＴのゲート電極とソース電極とに接続され、画素電極がＴＦＴのドレイン電極に接続されている。また、ＴＦＴ及び画素電極の液晶層側には、液晶分子を配向するための配向膜が設けられている。アレイ基板における端部には、ゲート配線及びソース配線から引き回された端子部が形成されており、この端子部には、液晶駆動用のドライバ部品が異方性導電膜（ＡＣＦ：Ａｎｉｓｏｔｒｏｐｉｃ  Ｃｏｎｄｕｃｔｉｖｅ  Ｆｉｌｍ）を介して圧着接続され、さらにはその液晶駆動用のドライバ部品が各種配線基板などを介して表示制御回路基板に電気的に接続されている。この表示制御回路基板は、テレビ受信装置ＴＶにおける画像変換回路基板ＶＣ（図１参照）に接続されるとともに同画像変換回路基板ＶＣからの出力信号に基づいてドライバ部品を介して各ゲート配線及びソース配線に駆動信号を供給する。
【００２９】
一方、ＣＦ基板の内面（つまり、液晶層側の面）には、アレイ基板側の各画素に対応して多数個の着色部をマトリクス状（行列状）に配列してなるカラーフィルタが設けられている。カラーフィルタは、光の三原色である赤色（Ｒ）の着色部，緑色（Ｇ）の着色部Ｇ，青色（Ｂ）の着色部を備えている。各色（Ｒ，Ｇ、Ｂ）の着色部は、対応した各色（各波長）の光を選択的に透過する。各着色部間には、混色を防ぐため、格子状の遮光層（ブラックマトリクス）が設けられている。ＣＦ基板におけるカラーフィルタの液晶層側には、対向電極及び配向膜が順次積層して設けられている。
【００３０】
（照明装置）
続いて、液晶表示装置１０における照明装置（バックライト装置）１２の構成について説明する。照明装置１２は、図２に示されるように、光出射面側（液晶パネル１１側）に開口部を有した略箱型をなすシャーシ２２と、シャーシ２２の開口部を覆うようにして配される光学部材２３群と、シャーシ２２の外縁部に沿って配され光学部材２３群の外縁部をシャーシ２２との間で挟んで保持するフレーム２６とを備える。さらに、シャーシ２２内には、光学部材２３（液晶パネル１１）の直下となる位置に対向状に配されるＬＥＤ２４と、ＬＥＤ２４が実装されたＬＥＤ基板２５と、ＬＥＤ基板２５においてＬＥＤ２４に対応した位置に取り付けられる拡散レンズ２７とが備えられる。このように、本実施形態に係る照明装置１２は、いわゆる直下型である。その上、シャーシ２２内には、ＬＥＤ基板２５をシャーシ２２との間で保持することが可能な保持部材２８と、シャーシ２２内の光を光学部材２３側に反射させる反射シート２９とが備えられている。続いて、照明装置１２の各構成部品について詳しく説明する。
【００３１】
（シャーシ）
シャーシ２２は、金属製であり、図３から図５に示されるように、液晶パネル１１と同様に横長な矩形状をなす底板２２ａと、底板２２ａの各辺（一対の長辺及び一対の短辺）の外端からそれぞれ表側（光出射側）に向けて立ち上がる側板２２ｂと、各側板２２ｂの立ち上がり端から外向きに張り出す受け板２２ｃとからなり、全体としては表側に向けて開口した浅い略箱型（略浅皿状）をなしている。シャーシ２２は、その長辺方向がＸ軸方向（水平方向）と一致し、短辺方向がＹ軸方向（鉛直方向）と一致している。シャーシ２２における各受け板２２ｃには、表側からフレーム２６及び次述する光学部材２３が載置可能とされる。各受け板２２ｃには、フレーム２６がねじ止めされている。シャーシ２２の底板２２ａには、保持部材２８を取り付けるための取付孔が開口して設けられている。取付孔は、底板２２ａにおいて保持部材２８の取付位置に対応して複数分散配置されている。
【００３２】
（光学部材）
光学部材２３は、図２に示されるように、液晶パネル１１及びシャーシ２２と同様に平面に視て横長の方形状をなしている。光学部材２３は、図４及び図５に示されるように、その外縁部が受け板２２ｃに載せられることで、シャーシ２２の開口部を覆うとともに、液晶パネル１１とＬＥＤ２４（ＬＥＤ基板２５）との間に介在して配される。光学部材２３は、裏側（ＬＥＤ２４側、光出射側とは反対側）に配される拡散板２３ａと、表側（液晶パネル１１側、光出射側）に配される光学シート２３ｂとから構成される。拡散板２３ａは、所定の厚みを持つほぼ透明な樹脂製で板状をなす基材内に拡散粒子を多数分散して設けた構成とされ、透過する光を拡散させる機能を有する。光学シート２３ｂは、拡散板２３ａと比べると板厚が薄いシート状をなしており、２枚が積層して配されている。具体的な光学シート２３ｂの種類としては、例えば拡散シート、レンズシート（プリズムシートを含む）、反射型偏光シートなどがあり、これらの中から適宜に選択して使用することが可能である。
【００３３】
（フレーム）
フレーム２６は、図２に示されるように、液晶パネル１１及び光学部材２３の外周縁部に沿う枠状をなしている。このフレーム２６と各受け板２２ｃとの間で光学部材２３における外縁部を挟持可能とされている（図４及び図５参照）。また、このフレーム２６は、液晶パネル１１における外縁部を裏側から受けることができ、表側に配されるベゼル１３との間で液晶パネル１１の外縁部を挟持可能とされる（図４及び図５参照）。
【００３４】
（ＬＥＤ）
ＬＥＤ２４は、図５に示されるように、ＬＥＤ基板２５上に実装されるとともにＬＥＤ基板２５に対する実装側とは反対側にある頂面が発光面となる、いわゆる頂面発光型とされる。ＬＥＤ２４は、発光源として青色光を発するＬＥＤチップを備えるとともに、青色光により励起して発光する蛍光体として、緑色蛍光体と赤色蛍光体とを備えている。詳しくは、ＬＥＤ２４は、ＬＥＤ基板２５に固着される基板部上に例えばＩｎＧａＮ系の材料からなるＬＥＤチップを樹脂材により封止した構成とされる。基板部に実装されるＬＥＤチップは、主発光波長が４２０ｎｍ〜５００ｎｍの範囲、つまり青色の波長領域に存するものとされ、色純度に優れた青色光（青色の単色光）を発することが可能とされる。具体的なＬＥＤチップの主発光波長としては、例えば４５１ｎｍが好ましい。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ２４は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２４は、ＬＥＤチップからの青色成分の光と、黄色成分の光とを併せ持っている、とも言える。このＬＥＤ２４の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２４の色度を調整することが可能とされる。なお、本実施形態では、緑色蛍光体は、５００ｎｍ以上５７０ｎｍ以下の緑色波長領域に主発光ピークを有するものとされ、赤色蛍光体は、６００ｎｍ以上７８０ｎｍ以下の赤色波長領域に主発光ピークを有するものとされる。
【００３５】
続いて、ＬＥＤ２４に備えられる緑色蛍光体及び赤色蛍光体について詳しく説明する。緑色蛍光体としては、サイアロン系蛍光体の一種であるβ−ＳｉＡｌＯＮを用いるのが好ましい。サイアロン系蛍光体は、窒化ケイ素のシリコン原子の一部がアルミニウム原子に、窒素原子の一部が酸素原子に置換された物質、つまり窒化物である。窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。サイアロン系蛍光体には、付活剤として希土類元素（例えばＴｂ，Ｙｇ，Ａｇなど）が用いられる。サイアロン系蛍光体の一種であるβ−ＳｉＡｌＯＮは、β型窒化ケイ素結晶にアルミニウムと酸素とが固溶した一般式Ｓｉ６−ＺＡｌｚＯｚＮ８−ｚ：Ｅｕ（ｚは固溶量を示す）または（Ｓｉ，Ａｌ）６（Ｏ，Ｎ）８：Ｅｕにより表される物質である。本実施形態に係るβ−ＳｉＡｌＯＮには、付活剤として例えばＥｕ（ユーロピウム）が用いられており、それにより発光光である緑色光の色純度が特に高いものとされるので、ＬＥＤ２４の色度を調整する上で極めて有用である。一方、赤色蛍光体としては、カズン系蛍光体の一種であるカズンを用いるのが好ましい。カズン系蛍光体は、カルシウム原子（Ｃａ）、アルミニウム原子（Ａｌ）、ケイ素原子（Ｓｉ）、窒素原子（Ｎ）を含む窒化物であり、例えば硫化物や酸化物などからなる他の蛍光体に比べると、発光効率に優れるとともに耐久性に優れている。カズン系蛍光体は、付活剤として希土類元素（例えばＴｂ，Ｙｇ，Ａｇなど）が用いられる。カズン系蛍光体の一種であるカズンは、付活剤としてＥｕ（ユーロピウム）が用いられるとともに、組成式ＣａＡｌＳｉＮ３：Ｅｕにより示される。
【００３６】
（ＬＥＤ基板）
ＬＥＤ基板２５は、図３に示されるように、平面に視て横長の矩形状をなす基材部２５ａを有している。ＬＥＤ基板２５は、長辺方向がＸ軸方向と一致し、短辺方向がＹ軸方向と一致する状態でシャーシ２２内において底板２２ａに沿って延在しつつ収容されている。このＬＥＤ基板２５の基材部２５ａの板面のうち、表側を向いた板面（光学部材２３側を向いた面）には、ＬＥＤ２４が表面実装されており、ここが実装面２５ａ１とされる。実装されたＬＥＤ２４は、その発光面が光学部材２３（液晶パネル１１）と対向状をなすとともに、その光軸がＺ軸方向（つまり、液晶パネル１１の表示面と直交する方向）と一致している。ＬＥＤ基板２５には、その長辺方向（Ｘ軸方向）に沿って複数（例えば、図３では１５個）のＬＥＤ２４が直線的に並んで配されるとともに、並列されたＬＥＤ２４に接続される配線パターン（配線部）２５ｃが形成されている（図６を参照）。ＬＥＤ基板２５上における各ＬＥＤ２４の配列ピッチは、ほぼ一定となっており、つまり各ＬＥＤ２４は、Ｘ軸方向についてほぼ等間隔に配列されている。
【００３７】
ＬＥＤ基板２５は、図３に示されるように、シャーシ２２内においてＸ軸方向及びＹ軸方向にそれぞれ複数ずつ、互いに長辺方向及び短辺方向を揃えた状態で並列して配置されている。つまり、ＬＥＤ基板２５及びそこに実装されたＬＥＤ２４は、シャーシ２２内において共にＸ軸方向（シャーシ２２及びＬＥＤ基板２５の長辺方向）を行方向とし、Ｙ軸方向（シャーシ２２及びＬＥＤ基板２５の短辺方向）を列方向として行列状に配置（マトリクス状に配置、平面配置）されている。具体的には、ＬＥＤ基板２５は、シャーシ２２内においてＸ軸方向（行方向）に２枚ずつ、Ｙ軸方向（列方向）に１４枚ずつ、合計２８枚が行列状に並列して配置されている。Ｙ軸方向について並列するＬＥＤ基板２５は、その位置に応じて配列ピッチが変化する、いわゆる不等ピッチ配列とされている。具体的には、シャーシ２２（液晶表示装置１０）におけるＹ軸方向の中央側ほど配列ピッチが狭く、Ｙ軸方向の両端側ほど配列ピッチが広くなるような配列とされる。なお、各ＬＥＤ基板２５上に実装された各ＬＥＤ２４におけるＹ軸方向についての配列も上記と同様に不等ピッチ配列とされる。各ＬＥＤ基板２５の長辺方向の両端部のうち、シャーシ２２の長辺方向の外縁側の端部（Ｘ軸方向について隣り合うＬＥＤ基板２５側とは反対側の端部）には、配線パターン２５ｃの端部に接続されたコネクタ部２５ｄが設けられている（図５参照）。このコネクタ部２５ｄが外部のＬＥＤ駆動回路側のコネクタに電気的に接続されることで、ＬＥＤ基板２５上の各ＬＥＤ２４の駆動を制御することが可能とされる。また、ＬＥＤ基板２５のうち保持部材２８の取付位置に対応する位置には、保持部材２８を通すための貫通孔２５ｂが形成されている（図４及び図５参照）。
【００３８】
（拡散レンズ）
拡散レンズ（光学レンズ）２７は、ほぼ透明で（高い透光性を有し）且つ屈折率が空気よりも高い合成樹脂材料（例えばポリカーボネートやアクリルなど）からなる。拡散レンズ２７は、図３及び図５に示されるように、所定の厚みを有するとともに、平面に視て略円形状に形成されており、ＬＥＤ基板２５における実装面２５ａ１に対して各ＬＥＤ２４を表側から個別に覆うように（つまり、平面に視て各ＬＥＤ２４と重畳するように）それぞれ取り付けられている。そして、この拡散レンズ２７は、ＬＥＤ２４から発せられた指向性の強い（高い）光をある程度、拡散させつつ出射させることができる。つまり、ＬＥＤ２４から発せられた光は、拡散レンズ２７を介することにより指向性が緩和されるので、隣り合うＬＥＤ２４間の間隔を広くとってもその間の領域が暗部として視認され難くなる。これにより、ＬＥＤ２４の設置個数を少なくすることが可能となっている。この拡散レンズ２７は、平面に視てＬＥＤ２４と略同心となる位置に配されている。なお、図４では、保持部材２８の断面構成を図示しているため、拡散レンズ２７については紙面奥側に配されたものの側面が図示されている。
【００３９】
拡散レンズ２７は、図６に示されるように、その径寸法がＬＥＤ２４の外形寸法よりも十分に大きいものの、ＬＥＤ基板２５の短辺寸法よりは少し小さいものとされる。拡散レンズ２７のうち、裏側を向くと共にＬＥＤ２４と対向する面が、図７に示されるように、ＬＥＤ２４からの光が入射される光入射面２７ａとされる。これに対して、表側を向き、光学部材２３と対向する面が、光を出射する光出射面２７ｂとなっている。このうち、光入射面２７ａは、全体としてはＬＥＤ基板２５の板面（Ｘ軸方向及びＹ軸方向）に沿って平行に配される平面状をなすものの、平面に視てＬＥＤ２４と重畳する領域には特に光入射側凹部２７ｃが形成されることでＬＥＤ２４の光軸に対して傾斜した傾斜面を有している。光入射側凹部２７ｃは、断面逆Ｖ字型の略円錐状をなすとともに拡散レンズ２７においてほぼ中心位置に配されている。ＬＥＤ２４から発せられて光入射側凹部２７ｃ内に入った光は、傾斜面によって広角に屈折されつつ拡散レンズ２７に入射する。また、光入射面２７ａの外縁部付近からは、ＬＥＤ基板２５に対する取付構造である取付脚部２７ｄが突設されており、この取付脚部２７ｄがＬＥＤ基板２５の実装面２５ａ１に対して接着剤などによって固着されている。光出射面２７ｂは、表側に膨出する扁平な略球面状に形成されており、それにより、拡散レンズ２７から出射する光を広角に屈折させつつ出射させることが可能とされる。この光出射面２７ｂのうち平面に視てＬＥＤ２４と重畳する領域には、略擂鉢状をなす光出射側凹部２７ｅが形成されている。この光出射側凹部２７ｅにより、ＬＥＤ２４からの光の多くを広角に屈折させつつ出射させ、或いはＬＥＤ２４からの光の一部をＬＥＤ基板２５側に反射させることができる。
【００４０】
（保持部材）
保持部材２８は、ポリカーボネート等の合成樹脂からなる成型品であり、表面が光の反射性に優れた白色を呈する。保持部材２８は、図３から図５に示されるように、ＬＥＤ基板２５の板面に沿った本体部２８ａと、この本体部２８ａから裏側（つまり、シャーシ２２側）に向けて突出してシャーシ２２に固定される固定部２８ｂとを備える。本体部２８ａは、平面に視て略円形の板状をなすとともに、シャーシ２２の底板２２ａとの間で少なくともＬＥＤ基板２５を挟持可能に設定されている。固定部２８ｂは、ＬＥＤ基板２５及びシャーシ２２の底板２２ａにおける保持部材２８の取付位置に対応してそれぞれ形成された挿通孔２５ｂ及び取付孔を貫通しつつ底板２２ａに対して係止可能とされる。この保持部材２８は、図３に示されるように、ＬＥＤ基板２５の面内において複数が適宜に分散配置されており、Ｘ軸方向について拡散レンズ２７（ＬＥＤ２４）に対して隣り合う位置に配されている。
【００４１】
なお、保持部材２８には、図３及び図５に示されるように、本体部２８ａとシャーシ２２の底板２２ａとの間で反射シート２９の底部２９ａを介することなくＬＥＤ基板２５を挟持するもの（第１保持部材）と、本体部２８ａとシャーシ２２の底板２２ａとの間でＬＥＤ基板２５と共に反射シート２９の底部２９ａを挟持するもの（第２保持部材）との２種類が含まれている。このうち、ＬＥＤ基板２５と共に反射シート２９の底部２９ａを挟持する保持部材２８（第２保持部材）には、本体部２８ａから表側に突出する支持部２８ｃが設けられたものと、支持部２８ｃを有さないものとの２種類が含まれている。この支持部２８ｃは、光学部材２３（直接的には拡散板２３ａ）を裏側から支持することが可能とされ、それによりＬＥＤ２４と光学部材２３とのＺ軸方向の位置関係を一定に維持することができるとともに光学部材２３の不必要な変形を規制することができる。
【００４２】
（反射シート）
反射シート（反射部材）２９は、発泡プラスチックシート（例えば、発泡ポリエチレンテレフタレートシート）からなり、表面が光反射性に優れた白色を呈するものとされる。反射シート２９は、図３から図５に示されるように、シャーシ２２の内面の略全域にわたって敷設される大きさを有しているので、シャーシ２２内に並列して配された全ＬＥＤ基板２５を表側から一括して覆うことが可能とされる。この反射シート２９によりシャーシ２２内の光を光学部材２３側に向けて効率的に立ち上げることができる。反射シート２９は、シャーシ２２の底板２２ａに沿って延在するとともに底板２２ａの大部分を覆う大きさの底部（反射部）２９ａと、底部２９ａの各外端から表側に立ち上がるとともに底部２９ａに対して傾斜状をなす４つの立ち上がり部２９ｂと、各立ち上がり部２９ｂの外端から外向きに延出するとともにシャーシ２２の受け板２２ｃに載せられる延出部２９ｃとから構成されている。この反射シート２９の底部２９ａが各ＬＥＤ基板２５における表側の面（つまり、ＬＥＤ２４の実装面２５ａ１）に対して表側に重なるよう配される。反射シート２９の底部２９ａには、図７に示されるように、各拡散レンズ２７及び各ＬＥＤ２４と平面視重畳する位置に各拡散レンズ２７及び各ＬＥＤ２４を挿通するレンズ挿通孔（開口部）２９ｄが開口して設けられている。このレンズ挿通孔２９ｄは、その径寸法が拡散レンズ２７の外径寸法よりも大きくなっており、それにより製造上の寸法誤差や組み付け誤差が生じた場合でも拡散レンズ２７を確実に挿通することができるものとされる。従って、ＬＥＤ基板２５の実装面２５ａ１には、反射シート２９の底部２９ａによって覆われない部分、つまりレンズ挿通孔２９ｄを通して表側に露出する部分が存在することになる。
【００４３】
また、底部２９ａには、図４及び図５に示されるように、各保持部材２８と平面視重畳する位置に固定部２８ｂを通すための保持部材挿通孔が開口して設けられており、特に底部２９ａを介することなくＬＥＤ基板２５を保持する保持部材２８（第１保持部材）に対応する保持部材挿通孔については、その本体部２８ａをも通すことが可能な大きさとされている。これにより、シャーシ２２内に収容したＬＥＤ基板２５を予め上記保持部材２８（第１保持部材）によってシャーシ２２の底板２２ａに保持させることができ、その後反射シート２９をシャーシ２２内に敷設する際に、底部２９ａが上記保持部材２８（第１保持部材）の本体部２８ａに乗り上げることが回避される。なお、底部２９ａは、シャーシ２２内に敷設された後に取り付けられる保持部材２８（第２保持部材）によってＬＥＤ基板２５と共にシャーシ２２に保持されて浮きや撓みが生じ難いものとされる。
【００４４】
（本実施形態の要部に係る構成についての説明）
ＬＥＤ基板２５を構成する基材部２５ａにおけるＬＥＤ２４の実装面２５ａ１のうち、少なくともレンズ挿通孔２９ｄ内となる部分には、図６から図８に示されるように、配線パターン２５ｃを覆う形で、光を反射する反射層３０が形成されている。また、反射層３０と部分的に重なる形（反射層３０の一部と重なる形）で、光を吸収する吸収層３１が形成されている。ＬＥＤ基板２５の基材部２５ａは、シャーシ２２と同様、アルミニウム系材料等の金属材料からなり、その表面に絶縁層（不図示）が形成された構成となっている。したがって、上記した配線パターン２５ｃ及び反射層３０は、図８に示されるように、基材部２５ａにおける絶縁層上に積層する形で形成されている。
【００４５】
反射層３０は、図６から図８に示されるように、ＬＥＤ基板２５の実装面２５ａ１のうち、ＬＥＤ２４やコネクタ部２５ｄ等の実装部品の実装領域を除いた概ね全域に亘ってベタ状に設けられている。したがって、反射層３０は、その一部がＬＥＤ２４を取り囲むように、その周囲にも配されており、反射シート２９を敷設した状態において、レンズ挿通孔２９ｄ内に配されている。反射層３０は、上述したような配線パターン２５ｃを覆うことで、配線パターン２５ｃの酸化や配線パターン２５ｃ間の短絡を防止する等の機能を有している。本実施形態の反射層３０は、所謂、ソルダーレジストからなり、主として、光硬化性樹脂材料又は熱硬化性樹脂材料を含んでいる。ＬＥＤ基板２５の製造工程において、それらが液体状態でＬＥＤ基板２５の実装面２５ａ１に塗布され、その後、特定波長の光（例えば、ＵＶ）の照射（露光）又は加熱されることによって硬化されて、反射層３０が形成される。なお、液体状態の反射層３０を、ＬＥＤ基板２５の実装面２５ａ１に塗布する際には、例えば、スクリーン印刷、スプレー法、カーテンコート法、静電塗布法等を採ることができる。
【００４６】
反射層３０は、その表面の色が、例えば白色を呈するものからなり、優れた光反射性を備える。反射層３０は、ＬＥＤ２４からの光をＬＥＤ基板２５の表面２５ｅ上において効率的に反射することによって、照明装置１２における光の利用効率を高めることができる。このような光反射性に優れた反射層３０は、例えば、所定量の白色顔料（例えば、酸化チタン）を、上述した光硬化性樹脂材料又は熱硬化性樹脂材料に分散配合することによって得られる。なお、本実施形態の場合、反射層３０の光反射率は、反射シート２９の光反射率と概ね同等に設定されている。
【００４７】
反射層３０は、図６及び図７に示されるように、ＬＥＤ基板２５の実装面２５ａ１の概ね全域に亘って形成されているものの、その大部分が反射シート２９の底部２９ａによって覆われている。そのため、実質的に光反射機能を発揮するのは、レンズ挿通孔２９ｄ内に配されている部分（レンズ挿通孔２９ｄから露出する部分）となっている。レンズ挿通孔２９ｄ内に配されている部分の反射層（以下、露出反射層と称する場合がある）３０ａは、拡散レンズ２７等によって反射されてＬＥＤ基板２５側に戻って来た光を、再び拡散レンズ２７に向かって反射させている。つまり、露出反射層３０ａは、拡散レンズ２７に光を供給する機能を備えている。
【００４８】
拡散レンズ２７には、光学設計上、供給される光量の最適値が存在している。最適化された光量で拡散レンズ２７に対して光が供給されると、照明装置１２から発せられる面状の光は、全体として、輝度ムラ（光量ムラ）の無い均一な光となる。しかしながら、上述した最適値を超えた光量で、拡散レンズ２７に対して光が供給されると、照明装置１２から発せられる面状の光のうち、ＬＥＤ２４及び拡散レンズ２７の真上（ＬＥＤ２４の光軸方向、拡散レンズ２７の法線方向）に相当する部分のみが、それ以外の部分よりも輝度が高くなり過ぎて、全体として、輝度ムラが発生してしまう。このように拡散レンズ２７に対して光が過剰に供給される原因としては、例えば、露出反射層３０ａにより反射されて拡散レンズ２７に供給される光が過剰になっている場合が挙げられる。
【００４９】
そこで、本実施形態では、図６及び図７に示されるように、ＬＥＤ基板２５の表面２５ｅ（実装面２５ａ１）のうち、レンズ挿通孔２９ｄ内となる部分（露出反射層３０ａ）に、反射層３０と部分的に重なる形で、光を吸収する膜状の吸収層３１が形成（積層）されている。より具体的には、吸収層３１は、露出反射層３０ａのうち、拡散レンズ２７と対向する部分（以下、対向露出反射層３０ａ１と称する場合がある）と重なる形で、形成されている。吸収層３１は、反射層３０と同様、光硬化性樹脂材料又は熱硬化性樹脂材料からなるものの、反射層３０とは異なり、表面の色が例えば黒色を呈するものからなる。吸収層３１は、例えば、所定量の黒色顔料（例えば、カーボンブラック）を、上述した光硬化性樹脂材料又は熱硬化性樹脂材料に分散配合することによって得られる。ＬＥＤ基板２５の製造工程において、それらが液体状態でＬＥＤ基板２５の反射層３０上に塗布され、その後、特定波長の光（例えば、ＵＶ）の照射（露光）又は加熱されることによって硬化されて、吸収層３１が形成される。なお、液体状態の吸収層３１を、ＬＥＤ基板２５の反射層３０上に塗布する際には、例えば、スクリーン印刷、スプレー法、カーテンコート法、静電塗布法等を採ることができる。
【００５０】
吸収層３１は、上述したように、ＬＥＤ基板２５上の反射層３０のうち、拡散レンズ２７と対向している対向露出反射層３０ａ１上に形成されている。吸収層３１は、図６に示されるように、概ね、拡散レンズ２７の形状に対応した円形状をなしている。円形状をなした吸収層３１の中心部分には、吸収層３１が形成されていない四角形状の空白部分（孔）がある。この部分は、ＬＥＤ２４の実装領域となっている。吸収層３１の光吸収率は、全体的に同程度となるように設定されている。
【００５１】
（本実施形態の要部に係る作用及び効果についての説明）
液晶表示装置１０の電源を入れると（ＯＮにすると）、照明装置１２に供えられたＬＥＤ駆動回路から各ＬＥＤ基板２５に電力が供給される。そして、各ＬＥＤ基板２５上の各ＬＥＤ２４が点灯されると共に、図示されない表示制御回路基板により液晶パネル１１の駆動が制御される。すると、液晶パネル１１の表示面に所定画像が表示される。
【００５２】
更に詳しく説明すると、ＬＥＤ２４から発せられた光は、先ず拡散レンズ２７の光入射面２７ａに入射される。この際、大半の光は、光入射面２７ａのうち光入射側凹部２７ｃにおける傾斜面に入射される。傾斜面に入射された光は、その傾斜角度に応じて広角に屈折されつつ拡散レンズ２７内に入射される。そして、入射された光は、拡散レンズ２７内を伝播した後、光出射面２７ｂから出射される。光出射面２７ｂは、扁平な略球面状をなしており、その光出射面２７ｂと外部の空気層との界面において光が更に広角に屈折されつつ出射される。光出射面２７ｂのうち、ＬＥＤ２４から供給される光の量が最も多くなる領域には、略擂鉢状をなした光出射側凹部２７ｅが形成されている。光出射側凹部２７ｅの周面は、扁平な略球面状をなしており、その周面において光を広角に屈折させつつ出射させている。なお、ＬＥＤ２４から供給された光の中には、この光出射側凹部２７ｅの周面によって、ＬＥＤ基板２５側に反射されるものもある。
【００５３】
拡散レンズ２７から出射された光は、光学部材２３に対して、直接的に、又は反射シート２９等によって反射されて間接的に、入射される。光学部材２３に入射された光は、光学部材２３を透過する過程で所定の光学作用（拡散作用や集光作用など）を付与されて調整される。そして、光学部材２３を透過した光が液晶パネル１１に照射されることで、上述したように液晶パネル１１の表示面に所定画像が表示される。
【００５４】
ところで、ＬＥＤ２４から拡散レンズ２７側に向かって発せられた光の中には、拡散レンズ２７によって反射されてＬＥＤ基板２５側に戻されるものがある。また、拡散レンズ２７から出射された光の中にも、光学部材２７や反射シート２９等によって反射されて、ＬＥＤ基板２５側に戻されるものもある。ＬＥＤ基板２５が備える反射層３０の所定個所に、上述した吸収層３１が形成されていると、拡散レンズ２７等によって反射された光が、ＬＥＤ基板２５側に戻って来ても、吸収層３１によってある程度、吸収されることになる。つまり、吸収層３１によって、拡散レンズ２７等によって反射された光（反射光）が再び拡散レンズ２７側に供給されることが抑制される。その結果、反射光が拡散レンズ２７内に供給されることが抑制されて、拡散レンズ２７から出射される光の量が抑制される。したがって、吸収層３１をＬＥＤ基板２５の実装面２５ａ１（反射層３０）上に設けることによって、拡散レンズ２７に供給される光の量を、適切なものに調整することができる。このようにして、本実施形態の照明装置１２は、液晶パネル１１に向かって照射する面状の光に、輝度ムラが発生することが抑制される。
【００５５】
また、本実施形態の照明装置１２において、吸収層３１は、拡散レンズ２７と対向する反射層３０上に、積層される形で形成されている。このように、吸収層３１を反射層３０上に積層する形で設けると、吸収層３１を所定個所に形成し易いという利点がある。例えば、他の実施形態においては、吸収層と反射層とを一枚の層として形成することも考えられる。しかしながら、本実施形態のように、吸収層３１を反射層３０上に積層する構成とすれば、公知の塗膜形成方法を利用して、反射層３０の所定個所に、吸収層３１を容易に配置することができる。したがって、本実施形態の照明装置１２は、吸収層３１を所定個所に設け易く、製造が容易である。
【００５６】
また、本実施形態の照明装置１２において、吸収層３１は、ＬＥＤ２４を取り囲むように実装面２５ａ１上に配されている。吸収層３１が、ＬＥＤ２４を取り囲むように実装面２５ａ１上に配されていると、ＬＥＤ２４からの光が吸収層３１によって吸収される量が、ＬＥＤ２４を中心とする円周方向において不均一となることが抑制される。つまり、拡散レンズ２７から出射される光が、不均一な放射状の光となることが抑制されると共に、照明装置１２の輝度ムラが抑制される。
【００５７】
＜実施形態２＞
以下、本発明の実施形態２を、図９を参照しつつ説明する。なお、以降の実施形態では、実施形態１と同じ部分については、実施形態１と同じ符号を付して、その詳細な説明（構造、作用及び効果）は省略する。図９は、実施形態２に係る照明装置を構成するＬＥＤ基板２５ＡにおけるＬＥＤ２４付近の拡大平面図である。本実施形態の照明装置の基本的な構成は、実施形態１のものと同様である。ただし、本実施形態では、ＬＥＤ基板２５Ａに形成されている吸収層３１Ａが、実施形態１のものと異なっている。具体的には、図９に示されるように、本実施形態の吸収層３１Ａは、ドット状（円形状）をなした複数個のパターン部３１ａ１，３１ａ２からなる。吸収層３１Ａは、実施形態１と同様の材料からなると共に、実施形態１と同様、スクリーン印刷技術等を利用して反射層３０上に積層される形で形成されている。吸収層３１Ａをなす各パターン部３１ａ１，３１ａ２は、全体として、ＬＥＤ２４の周りを取り囲むように配置されると共に、全体として、ＬＥＤ２４から放射状に配置されている。パターン部３１ａ１は、ＬＥＤ２４を中心とする円周上に沿って配されている。これに対して、パターン部３１ａ２は、パターン部３１ａ１がなす円よりも大きな円であってＬＥＤ２４を中心とする円周上に沿って配されている。なお、各パターン部３１ａ１，３１ａ２の形状（大きさ）は、互いに同じに設定されている。また、各パターン部３１ａ１，３１ａ２の光吸収率（黒色度）も、互いに同じに設定されている。
【００５８】
ＬＥＤ２４を中心とする円周方向において隣り合ったパターン部３１ａ２同士の間隔は、ＬＥＤ２４を中心とする円周方向において隣り合ったパターン部３１ａ１同士の間隔よりも、大きくなっている。そのため、ＬＥＤ基板２５Ａの表面２５ｅにおいて、ＬＥＤ２４に近付く程、吸収層３１Ａの密度が高くなっている（つまり、ＬＥＤ２４から遠ざかる程、吸収層３１Ａの密度が低くなっている）。したがって、ＬＥＤ２４に近付く程、吸収層３１Ａによって光が多く吸収されることになる。このような吸収層３１Ａが形成されたＬＥＤ基板２５Ａを備えることによって、本実施形態の照明装置では、拡散レンズ２７の中央部分から出射される光が過剰となることが抑制されると共に、照明装置から出射される面状の光に輝度ムラが発生することが抑制される。
【００５９】
また、本実施形態の照明装置のように、吸収層３１Ａが、複数のパターン部３１ａ１，３１ａ２からなると、パターン部１ａ１，３１ａ２の配置、形状、光吸収率（黒色度）を適宜、設定）することによって、吸収層における光吸収量を目的に応じて、適宜、調節することができる。
【００６０】
＜実施形態３＞
以下、本発明の実施形態３を、図１０を参照しつつ説明する。図１０は、実施形態３に係る照明装置を構成するＬＥＤ基板２５ＢにおけるＬＥＤ２４付近の拡大平面図である。本実施形態の照明装置における基本的な構成は、実施形態１のものと同様である。ただし、本実施形態では、ＬＥＤ基板２５Ｂに形成されている吸収層３１Ｂが、実施形態１のものと異なっている。具体的には、図１０に示されるように、本実施形態の吸収層３１Ｂは、ドット状（円形状）をなした大きさが異なる２種類のパターン部３１ｂ１，３１ｂ２からなる。吸収層３１Ｂは、実施形態１と同様の材料からなると共に、実施形態１と同様、スクリーン印刷技術等を利用して反射層３０上に積層される形で形成されている。各パターン３１ｂ１，３１ｂ２の光吸収率は、互いに同じに設定されている。
【００６１】
吸収層３１Ｂをなす各パターン部３１ｂ１，３１ｂ２は、全体として、ＬＥＤ２４の周りを取り囲むように配置されている。パターン部３１ｂ１は、パターン部３１ｂ２と比べて、大きな円形状をなしており、ＬＥＤ２４の周りを取り囲むように、ＬＥＤ２４付近の反射層３０上に形成されている。パターン部３１ｂ１は、ＬＥＤ２４を中心とする円周上に沿って配されている。これに対して、パターン部３１ｂ２は、パターン部３１ｂ１と比べて小さな円形状をなしている。各パターン部３１ｂ２は、ＬＥＤ２４の周りを取り囲むと共に、パターン部３１ｂ１よりも外側に配されるように、ＬＥＤ２４を中心とする円周上に沿って配されている。また、ＬＥＤ２４を中心とする円周方向において隣り合ったパターン部３１ｂ２同士の間隔は、ＬＥＤ２４を中心とする円周方向において隣り合ったパターン部３ｂ１同士の間隔よりも、大きくなっている。
【００６２】
本実施形態のＬＥＤ基板２５Ｂの表面２５ｅにおいても、実施形態２と同様、ＬＥＤ２４に近付く程、吸収層３１Ｂの密度が高くなっている（つまり、ＬＥＤ２４から遠ざかる程、吸収層３１Ｂの密度が低くなっている）。したがって、ＬＥＤ２４に近付く程、吸収層３１Ｂによって光が多く吸収されることになる。このような吸収層３１Ｂが形成されたＬＥＤ基板２５Ｂを備えることによって、本実施形態の照明装置では、拡散レンズ２７の中央部分から出射される光が過剰となることが抑制されると共に、照明装置から出射される面状の光に輝度ムラが発生することが抑制される。
【００６３】
＜実施形態４＞
以下、本発明の実施形態４を、図１１を参照しつつ説明する。図１１は、実施形態４に係る照明装置を構成するＬＥＤ基板２５ＣにおけるＬＥＤ２４付近の拡大平面図である。本実施形態の照明装置における基本的な構成は、実施形態１のものと同様である。ただし、本実施形態では、ＬＥＤ基板２５Ｃに形成されている吸収層３１Ｃが、実施形態１のものと異なっている。具体的には、図１１に示されるように、本実施形態の吸収層３１Ｂは、環状をなした複数（３つ）のパターン部３１ｃ１，３１ｃ２、３１ｃ３からなる。なお、本実施形態の吸収層３１Ｃは、実施形態１と同様の材料からなると共に、実施形態１と同様、スクリーン印刷技術等を利用して反射層３０上に積層される形で形成されている。また、各パターン部３１ｃ１，３１ｃ２，３１ｃ３の光吸収率は、互いに同じに設定されている。
【００６４】
吸収層３１Ｃをなす各パターン部３１ｃ１，３１ｃ２，３１ｃ３は、概ね、それぞれＬＥＤ２４を中心とする環状（同心円状）をなしている。また、各パターン部３１ｃ１，３１ｃ２，３１ｃ３の表面積（ＬＥＤ基板２５Ｃの表面２５ｅにおいて、吸収層３１Ｃが占める単位面積当たりの割合）は、ＬＥＤ２４から遠ざかる方向（つまり、各パターン部の径方向）に向かって、順次小さくなっている。本実施形態の場合、各パターン部の幅（径方向の幅）が、前記方向に向かって、順次小さく（狭く）なっている。更に、本実施形態の吸収層３１Ｃは、パターン部同士の間隔が、ＬＥＤ２４から遠ざかる方向に向かって、順次、大きくなっている。
【００６５】
本実施形態のＬＥＤ基板２５Ｃの表面２５ｅにおいても、実施形態２と同様、ＬＥＤ２４に近付く程、吸収層３１Ｃの密度が高くなっている（つまり、ＬＥＤ２４から遠ざかる程、吸収層３１Ｃの密度が低くなっている）。したがって、ＬＥＤ２４に近付く程、吸収層３１Ｃによって光が多く吸収されることになる。このような吸収層３１Ｃが形成されたＬＥＤ基板２５Ｃを備えることによって、本実施形態の照明装置では、拡散レンズ２７の中央部分から出射される光が過剰となることが抑制されると共に、照明装置から出射される面状の光に輝度ムラが発生することが抑制される。
【００６６】
＜実施形態５＞
以下、本発明の実施形態５を、図１２を参照しつつ説明する。図１２は、実施形態５に係る液晶表示装置１０Ｄを構成するＬＥＤ２４及び拡散レンズ２７付近の拡大断面図である。本実施形態の液晶表示装置１０Ｄにおける基本的な構成は、実施形態１のものと同様である。ただし、液晶表示装置１０Ｄを構成する照明装置１２Ｄが備えているＬＥＤ基板２５Ｄが、実施形態１のものと異なっている。具体的には、本実施形態のＬＥＤ基板２５Ｄは、吸収層３１Ｄが反射層３０Ｄと同じ実装面２５ａ１上に直接、形成されている点が、実施形態１のものと異なっている。つまり、反射層３０Ｄと共に吸収層３１Ｄが、１つの層状（膜状）として、ＬＥＤ基板２５Ｄに設けられている。本実施形態のように、吸収層３０Ｄを、直接、実装面２５ａ１上に形成してもよい。なお、基材部２５ａの表面（実装面２５ａ１）上において、反射層３０Ｄと、吸収層３１Ｄとを、それぞれ所定範囲に形成する方法としては、例えば、フォトリソグラフィ技術等の公知の成膜技術を利用する方法が挙げられる。
【００６７】
＜実施形態６＞
以下、本発明の実施形態６を、図１３を参照しつつ説明する。図１３は、実施形態６に係る液晶表示装置１０Ｅを構成するＬＥＤ２４及び拡散レンズ２７付近の拡大断面図である。本実施形態の液晶表示装置１０Ｅにおける基本的な構成は、実施形態１のものと同様である。ただし、液晶表示装置１０Ｅを構成する照明装置１２Ｅが備えているＬＥＤ基板２５Ｅが、実施形態１のものと異なっている。具体的には、本実施形態のＬＥＤ基板２５Ｅは、実装面２５ａ１を平面に視た際、拡散レンズ２７と対向する範囲よりも広範囲に亘って、吸収層３１Ｅが形成されている点が、実施形態１と異なっている。このように、拡散レンズ２７と対向する範囲よりも外側にある範囲に、吸収層３１Ｅを形成してもよい。
【００６８】
＜実施形態７＞
以下、本発明の実施形態７を、図１４を参照しつつ説明する。図１４は、実施形態７に係る照明装置を構成するＬＥＤ基板２５ＥにおけるＬＥＤ２４付近の拡大平面図である。本実施形態の照明装置における基本的な構成は、実施形態１のものと同様である。ただし、本実施形態では、ＬＥＤ基板２５Ｆに形成されている吸収層３１Ｆが、実施形態１のものと異なっている。具体的には、図１４に示されるように、本実施形態の吸収層３１Ｆは、各々が環状をなすと共に、互いに隣接した複数（３つ）のパターン部３１ｆ１，３１ｆ２、３１ｆ３からなる。
【００６９】
本実施形態の吸収層３１Ｆの全体形状は、ＬＥＤ基板２５Ｆの表面２５ｅを平面視した際、実施形態１の吸収層３１（図６参照）と同様であり、概ね円形状をなしている。ただし、本実施形態の吸収層３１Ｆは、ＬＥＤ２４から遠ざかる方向（円形状を成した吸収層３１Ｆの径方向）に向かって、パターン部毎に、光吸収率が小さく（低く）設定されている。上述した３つのパターン部３１ｆ１，３１ｆ２、３１ｆ３のうち、最も内側（ＬＥＤ２４側）に配されているパターン部３１ｆ１は、最も黒色度が高くかつ光吸収率が大きく（高く）設定されている。これに対して、３つのパターン部３１ｆ１，３１ｆ２、３１ｆ３のうち、最も外側に配されているパターン部３１ｆ３は、最も黒色度が低くかつ光吸収率が小さく（低く）設定されている。なお、パターン部３１ｆ１とパターン部３１ｆ３との間で挟まれているパターン部３１ｆ２は、これらの中間の黒色度及び光吸収率に設定されている。なお、各パターン部の光吸収率（黒色度）は、吸収層３１Ｆにおける顔料（着色剤）の配合量や、吸収層３１Ｆに利用する材料等を適宜、選択することによって、調整できる。また、このようなパターン部３１ｆ１，３１ｆ２、３１ｆ３を備えた吸収層３１Ｅは、スクリーン印刷等の公知の塗膜形成方法を利用することによって、形成できる。
【００７０】
本実施形態のＬＥＤ基板２５Ｆの表面２５ｅは、ＬＥＤ２４に近付く程、吸収層３１Ｆの光吸収率（黒色度）が高くなっている（つまり、ＬＥＤ２４から遠ざかる程、吸収層３１Ｆの光吸収率（黒色度）が低くなっている）。したがって、ＬＥＤ２４に近付く程、吸収層３１Ｆによって光が多く吸収されることになる。このような吸収層３１Ｆが形成されたＬＥＤ基板２５Ｂを備えることによって、本実施形態の照明装置では、拡散レンズ２７の中央部分から出射される光が過剰となることが抑制されると共に、照明装置から出射される面状の光に輝度ムラが発生することが抑制される。
【００７１】
＜実施形態８＞
以下、本発明の実施形態８を、図１５を参照しつつ説明する。図１５は、実施形態８に係る照明装置を構成するＬＥＤ基板２５ＧにおけるＬＥＤ２４付近の拡大平面図である。本実施形態の照明装置における基本的な構成は、実施形態１のものと同様である。ただし、本実施形態では、ＬＥＤ基板２５Ｇに形成されている吸収層３１Ｇの形状が、実施形態１のものと異なっている。具体的には、図１５に示されるように、本実施形態の吸収層３１Ｇは、ＬＥＤ２４からそれぞれ放射状に延びた形をなしたパターン部３１ｇからなる。なお、吸収層３１Ｇは、実施形態１と同様の材料からなると共に、実施形態１と同様、スクリーン印刷技術等を利用して反射層３０上に積層される形で形成されている。各パターン３１ｇの光吸収率は、互いに同じに設定されている。本実施形態の場合、各パターン部３１ｇは、細長く延びた矩形状をなしている。
【００７２】
各パターン部３１ｇが、図１５に示されるようい、ＬＥＤ２４からそれぞれ放射状に延びた形をなしていると、実装面（表面２５ｅ）上における吸収層の占める割合が、ＬＥＤ２４から遠ざかる方向に向かって、順次小さくなる。つまり、ＬＥＤ２４から遠ざかる方向に向かって、吸収層３１Ｇによって吸収される光の量が、少なくなる（換言すれば、ＬＥＤ２４に近付く程、吸収層３１Ｇによって光が多く吸収されることになる）。したがって、本実施形態の照明装置では、拡散レンズ２７の中央部分から出射される光が過剰となることが抑制されると共に、照明装置から出射される面状の光に輝度ムラが発生することが抑制される。
【００７３】
＜他の実施形態＞
本発明は上記記述及び図面によって説明した実施形態に限定されるものではなく、例えば次のような実施形態も本発明の技術的範囲に含まれる。
【００７４】
（１）上記実施形態１等では、照明装置が備える全てのＬＥＤ毎に、同じ構成の吸収層をＬＥＤ基板上に設けるものであったが、他の実施形態においては、ＬＥＤ毎に割り当てられる吸収層の種類（形状）を変更してもよい。
【００７５】
（２）上記した各実施形態では、吸収層が液体状材料をＬＥＤ基板の実装面に塗布して硬化させることで形成されるものであったが、フィルム状の材料をＬＥＤ基板の実装面（反射層）に貼り付けることで所定個所に吸収層を形成するようにしたものも本発明に含まれる。この場合、フィルム状の材料自身の接着力を利用して、そのフィルム状の材料を、ＬＥＤ基板の実装面（反射層）上に貼り付けてもよいし、或いは、そのフィルム状の材料の下面に、予め接着剤層を形成しておき、その接着剤層を介して、前記フィルム状の材料を、前記実装面（反射層）上に貼り付けてもよい。
【００７６】
（３）上記した各実施形態では、反射層がＬＥＤ基板の実装面を概ね全域に亘って覆うソルダーレジストからなるものを例示したが、反射層を、ソルダーレジストとは別途に形成するように構成してもよい。その場合、反射層の形成範囲は、ＬＥＤ基板の実装面のうち反射シートのレンズ挿通孔内となる部分のみとすることができる。なお、この場合であっても、組み付け誤差等を考慮して反射層の形成範囲をレンズ挿通孔外に多少拡張した大きさとすることが好ましい。
【００７７】
（４）上記した各実施形態では、光源としてＬＥＤを用いた場合を例示したが、ＬＥＤ以外の種類の光源（点状光源）を用いることも可能である。
【００７８】
（５）上記した各実施形態では、光学レンズとしてＬＥＤからの光を拡散させる拡散レンズを用いたものを例示したが、拡散レンズ以外の光学レンズ（例えば、集光作用を有する集光レンズ等）を用いたものも本発明に含まれる。なお、ＬＥＤ基板に設けられる吸収層は、利用する光学レンズの構造等に応じて、適宜、設定される。
【００７９】
（６）上記した各実施形態では、ＬＥＤ基板の基材部に用いる材料を金属材料とした場合を例示したが、ＬＥＤ基板の基材部に用いる材料としては、セラミック等の絶縁材料を用いることも可能である。
【００８０】
（７）上記した各実施形態以外にも、ＬＥＤ基板の設置数や配置、ＬＥＤ基板におけるＬＥＤの実装数や配置等は適宜、変更可能である。
【００８１】
（８）上記実施形態では、液晶パネル及びシャーシがその短辺方向を鉛直方向と一致させた縦置き状とされるものを例示したが、液晶パネル及びシャーシがその長辺方向を鉛直方向と一致させた縦置き状態とされるものも本発明に含まれる。
【００８２】
（９）上記実施形態では、液晶表示装置のスイッチング素子としてＴＦＴを用いたが、ＴＦＴ以外のスイッチング素子（例えば、薄膜ダイオード（ＴＦＤ））を用いた液晶表示装置にも本発明は適用可能である。また、カラー表示する液晶表示装置以外にも、白黒表示する液晶表示装置にも適用可能である。
【００８３】
（１０）上記実施形態では、表示パネルとして液晶パネルを用いた液晶表示装置を例示したが、他の種類の表示パネルを用いた表示装置にも本発明は適用可能である。
【００８４】
（１１）上記実施形態では、チューナーを備えたテレビ受信装置を例示したが、チューナーを備えていない表示装置にも本発明は適用可能である。
【００８５】
（１２）上記実施形態では、反射層をなすパターン部は、円形状、環状をなしていたが、他の実施形態おいては、円形状以外のドット状（例えば、三角形状、四角形状等の多角形状）であってもよいし、螺旋状、モザイク状等の他の形状であってもよい。
【符号の説明】
【００８６】
１０…液晶表示装置（表示装置）、１１…液晶パネル（表示パネル）、１２…照明装置（バックライト装置）、２４…ＬＥＤ（光源、点状光源）、２５…ＬＥＤ基板（光源基板）、２５ａ１…ＬＥＤ基板の実装面、２５ａ…基材部、２５ｃ…配線パターン、２７…拡散レンズ（光学レンズ）、２９…反射シート（反射部材）、２９ｄ…レンズ挿通孔（開口部）、３０…反射層、３１…吸収層、ＴＶ…テレビ受信装置 
【図１】
2013143219.tif 000003
【図２】
2013143219.tif 000004
【図３】
2013143219.tif 000005
【図４】
2013143219.tif 000006
【図５】
2013143219.tif 000007
【図６】
2013143219.tif 000008
【図７】
2013143219.tif 000009
【図８】
2013143219.tif 000010
【図９】
2013143219.tif 000011
【図１０】
2013143219.tif 000012
【図１１】
2013143219.tif 000013
【図１２】
2013143219.tif 000014
【図１３】
2013143219.tif 000015
【図１４】
2013143219.tif 000016
【図１５】
2013143219.tif 000017